(57)【要約】      （修正有）【課題】片持ち状に形成されたロックアームを有する光コネクタであって、ロックアームの塑性変形や破損のおそれを低下させ、コネクタの嵌合の信頼性を向上させた光コネクタを提供する。【解決手段】コネクタハウジングの外周に片持ち状に設けられ、相手方コネクタとの嵌合時に基端を支点として下方に弾性変形しつつ相手方コネクタに係止されるロックアーム１２を有する光コネクタであって、前記ロックアーム１２が設けられた第一のハウジング部材と、前記ロックアーム１２の自由端側から前記第一のハウジング部材に取り付けられた第二のハウジング部材と、を備え、前記ロックアーム１２には、その側面から幅方向外向きに突出した規制突起１２３が形成され、前記第二のハウジング部材には、前記規制突起１２３の上方に位置する突起押え部２２２が形成されている。【選択図】図４
2012083442.tif 000002
【特許請求の範囲】
【請求項１】
コネクタハウジングの外周に片持ち状に設けられ、相手方コネクタとの嵌合時に基端を支点として下方に弾性変形しつつ相手方コネクタに係止されるロックアームを有する光コネクタであって、
前記ロックアームが設けられた第一のハウジング部材と、
前記ロックアームの自由端側から前記第一のハウジング部材に取り付けられた第二のハウジング部材と、を備え、
前記ロックアームには、その側面から幅方向外向きに突出した規制突起が形成され、
前記第二のハウジング部材には、前記規制突起の上方に位置する突起押え部が形成されていることを特徴とする光コネクタ。
【請求項２】
前記規制突起は、前記ロックアームの両側面からそれぞれ突出して形成され、
前記突起押え部は、前記第二のハウジング部材の幅方向両側からそれぞれ内向きに屈曲して形成された部分を有し、その屈曲して形成された部分の先端同士の間に前記ロックアームの本体部が位置していることを特徴とする請求項１に記載の光コネクタ。
【請求項３】
前記ロックアームの本体部の最上面と、前記突起押え部の上面とが略面一であることを特徴とする請求項２に記載の光コネクタ。
【請求項４】
前記突起押え部同士の間隔は、前記ロックアームの自由端側の方が、その反対側よりも大きいことを特徴とする請求項２または３に記載の光コネクタ。
【発明の詳細な説明】
【技術分野】
【０００１】
本発明は、光コネクタに関し、さらに詳しくは、相手方コネクタとの嵌合時に弾性変形する、片持ち状に形成されたロックアームを有する光コネクタに関するものである。
【背景技術】
【０００２】
一般的に光ファイバを用いた光ケーブル（光ファイバケーブルともいう）は、多量の情報の高速通信が可能であることから、家庭用、産業用の情報通信に広く利用されている。また、例えば自動車には、各種電装品（例えば、カーナビゲーションシステム等）が装備されているが、それらの電装品の光通信にも多用されている。そして、この光ファイバの端末同士を光学的に接続（光信号を伝達可能に接続）したり、光信号を電気信号に変換する（あるいはその逆に電気信号を光信号に変換する）ための光コネクタが種々提案されている（例えば、特許文献１参照）。
【０００３】
この種の光コネクタにおいて、一般的にコネクタ同士の嵌合は「ロックアーム」などと称される、弾性変形する片持ち状の部材を利用し、次のようになされる。雄型コネクタは、そのコネクタハウジングの外面にロックアームを有する。雄型コネクタが、雌型コネクタの内側に差し込まれると、ロックアームが弾性変形する。雄型コネクタを一定量差し込むと、ロックアームの自由端（コネクタハウジングに繋がる基端の反対側の端部ことをいう。以下同じ。）側に形成された突起が、雌型コネクタのコネクタハウジングに形成された嵌合穴に嵌り込み、ロックアームが係止される（例えば特許文献１参照）。
【先行技術文献】
【特許文献】
【０００４】
【特許文献１】特開２００２−１０７５７１号公報
【発明の概要】
【発明が解決しようとする課題】
【０００５】
上述したように、近年光コネクタは、自動車の各種電装品の光通信にも用いられている。このような自動車の各種電装品に用いられる場合などでは、組み立て時の光ケーブル配索作業において、光コネクタに対して荒い取り扱いがなされ、上記ロックアームが塑性変形したり、破損したりすることがある。具体的には、ロックアームは片持ち状に形成されているため、ロックアームの自由端側が過剰に浮き上がったり、ロックアームがねじれたりして、塑性変形や破損が生じてしまう。このようなロックアームの塑性変形や破損は、嵌合状態にあるコネクタが容易に外れてしまう原因となる。すなわち、ロックアームの塑性変形や破損のおそれが、コネクタの嵌合の信頼性を低下させる一因となっていた。
【０００６】
本発明が解決しようとする課題は、片持ち状に形成されたロックアームを有する光コネクタであって、ロックアームの塑性変形や破損のおそれを低下させ、コネクタの嵌合の信頼性を向上させた光コネクタを提供することにある。
【課題を解決するための手段】
【０００７】
上記課題を解決するため、本発明は、コネクタハウジングの外周に片持ち状に設けられ、相手方コネクタとの嵌合時に基端を支点として下方に弾性変形しつつ相手方コネクタに係止されるロックアームを有する光コネクタであって、前記ロックアームが設けられた第一のハウジング部材と、前記ロックアームの自由端側から前記第一のハウジング部材に取り付けられた第二のハウジング部材と、を備え、前記ロックアームには、その側面から幅方向外向きに突出した規制突起が形成され、前記第二のハウジング部材には、前記規制突起の上方に位置する突起押え部が形成されていることを要旨とするものである。
【０００８】
また、本発明において、前記規制突起は、前記ロックアームの両側面からそれぞれ突出して形成され、前記突起押え部は、前記第二のハウジング部材の幅方向両側からそれぞれ内向きに屈曲して形成された部分を有し、その屈曲して形成された部分の先端同士の間に前記ロックアームの本体部が位置していればよい。
【０００９】
また、この場合、前記ロックアームの本体部の最上面と、前記突起押え部の上面とが略面一となっていればよい。
【００１０】
前記突起押え部同士の間隔は、前記ロックアームの自由端側の方が、その反対側よりも大きければよい。
【発明の効果】
【００１１】
本発明にかかる光コネクタは、コネクタハウジングが、少なくとも第一のハウジング部材と第二のハウジング部材とに分割されたものである。そして、第一のハウジング部材に設けられたロックアームには規制突起が形成され、その規制突起の上方に位置するよう、第二のハウジング部材には突起押え部が形成されている。このようにすれば、突起押え部によってロックアームの過剰な浮き上がりやねじれの発生が防止できる。つまり、ロックアームの塑性変形や破損が防止できるため、コネクタの嵌合の信頼性が高められる。
【００１２】
また、第二のハウジング部材の幅方向両側から内向きに屈曲して形成された突起押え部同士の間にロックアームの本体部が位置している、換言すれば突起押え部同士が中央で離間した状態にある（アーチ（橋）状ではない）ため、コネクタの高さ方向の大きさを小さくすることができる。
【００１３】
また、この場合、ロックアームの本体部の最上面と、突起押え部の上面とが略面一となる、コネクタ外面に段差がない形状とすれば、コネクタの見栄えがよいだけでなく、光ケーブルがコネクタに引っかかったりすることのない、作業性に優れた光コネクタとなる。
【００１４】
また、ロックアームの自由端側の突起押え部同士の間隔を大きくすれば、当該自由端側から突起押え部同士の間に指が入りやすいから、ロックアームが押し下げやすい、作業性に優れた光コネクタとなる。
【図面の簡単な説明】
【００１５】
【図１】本発明の一実施形態にかかる光コネクタと光ケーブルの分解斜視図である。
【図２】本発明の一実施形態にかかる光コネクタと光ケーブルの外観斜視図である。
【図３】本発明の一実施形態にかかる光コネクタと光ケーブルの断面図（上下方向断面）である。
【図４】図２におけるＡ矢視図であり、ロックアームの規制突起と第二のハウジング部材の突起押え部の位置関係を説明するための図である。
【図５】光ケーブルにケーブル固定部材が結合された状態を模式的に示した断面図である。
【図６】図１から図３に示した本発明の一実施形態にかかる光コネクタに、相手方コネクタが嵌合した状態の外観斜視図である。
【図７】図１から図３に示した本発明の一実施形態にかかる光コネクタに、相手方コネクタが嵌合した状態の断面図（上下方向断面）である。
【図８】図１から図３に示した本発明の一実施形態にかかる光コネクタの変形例を説明するための図である（図４のような図２におけるＡ矢視図に相当する）。
【発明を実施するための形態】
【００１６】
本発明の一実施形態にかかる光コネクタ１を図面を参照して詳細に説明する。ここで、図１は本実施形態にかかる光コネクタ１の分解斜視図、図２は光コネクタ１の外観斜視図、図３は光コネクタ１の断面図である。なお、これらの図には、光コネクタ１に組み付けられる光ケーブル９０を併せて示している。なお、以下の説明において、特に断りのない限り、先端側とは光コネクタ１の嵌合側をいい、後端側とはその反対側をいうものとする。また、単に軸線方向とはコネクタの嵌合方向、すなわち図３における左右方向をいい、上下方向とは図３における上下方向（図３において軸線方向と直交する方向）をいい、幅方向とは軸線方向および上下方向に直交する方向をいう。
【００１７】
本実施形態にかかる光コネクタ１は、雌型コネクタ（相手方コネクタ５０）と嵌合する雄型コネクタである。光コネクタ１は、第一のハウジング部材１０と、この第一のハウジング部材１０に固定される第二のハウジング部材２０と、この第一のハウジング部材１０および第二のハウジング部材２０から構成されるハウジング内部に収容されるフェルール３０と、フェルール３０を先端側に付勢するコイルばね４０と、を備える。この光コネクタ１には、光ケーブル９０の一端が固定される。
【００１８】
第一のハウジング部材１０は、コネクタの先端側（第二のハウジング部材２０より先端側）に位置する略箱形の部材である。第一のハウジング部材１０の先端側が相手方コネクタ５０である雌型コネクタとの嵌合部となる。第一のハウジング部材１０の上面には、ロックアーム１２が設けられている。ロックアーム１２は、相手方コネクタ５０である雌型コネクタとの嵌合に用いられるものであり、いわゆる片持ち状にハウジングの本体部に支持されている。詳しくは、ロックアーム１２は、第一のハウジング部材１０の先端でハウジングの本体部と繋がった状態にあり、当該部分を支点として弾性変形可能となっている。つまり、コネクタの先端側がロックアーム１２の基端であり、その反対側がロックアーム１２の自由端である。かかるロックアーム１２の自由端は、ロックアーム１２の弾性変形により、上下方向に移動する（厳密には自由端が基端を中心とする円弧を描くように移動する）。
【００１９】
ロックアーム１２の自由端側には、押圧部１２１が形成されている。押圧部１２１の上面は、雌型コネクタに嵌合された光コネクタ１を、雌型コネクタから外す際、ロックアーム１２が押し下げやすいように平面状に形成されている（詳細は後述）。押圧部１２１より先端側（ロックアーム１２の基端側）には、係止突起１２２が形成されている。
【００２０】
一方、本実施形態では、ロックアーム１２の押圧部１２１の両側面からは、幅方向外向きに突出した平板状の規制突起１２３が形成されている。規制突起１２３は、その高さ方向位置が、押圧部１２１より低い位置に（押圧部１２１の上面より、規制突起１２３の上面の方が低くなるように）形成されている。本実施形態では、かかる押圧部１２１と、後述の突起押え部２２２によって、ロックアーム１２の過剰な浮き上がりや、ロックアーム１２のねじれが防止されている。
【００２１】
また、第一のハウジング部材１０の後端側の側面には、第二のハウジング部材２０を取り付けるための矩形状の取付穴１４が形成されている。
【００２２】
一方、第二のハウジング部材２０は、アッパーハウジング２２およびロアーハウジング２４とを備える。アッパーハウジング２２の側面には四つの係合突起２２１（先端側および後端側に二つずつ）が、ロアーハウジング２４の側面には四つの係合穴２４１（先端側および後端側に二つずつ）が形成されている。ロアーハウジング２４の係合穴２４１にアッパーハウジング２２の係合突起２２１が係止されることにより、両者は一体化されて第二のハウジング部材２０を構成する。
【００２３】
アッパーハウジング２２には、突起押え部２２２が形成されている。突起押え部２２２は、アッパーハウジング２２（第二のハウジング部材２０）の幅方向両側から所定高さ立ち上がり、立ち上がった部分の先端からそれぞれ内向きに屈曲して形成されている。図４（図２におけるＡ矢視図）に示すように、突起押え部２２２は断面略「Ｌ」字状である。かかる突起押え部２２２の内向きに屈曲した部分は、第一のハウジング部材１０に第二のハウジング部材２０が取り付けられた状態において、第一のハウジング部材１０に形成された規制突起１２３の上に位置する。詳しくは、ロックアーム１２に外部から全く力が掛かっていない状態において、突起押え部２２２と規制突起１２３との間に微少なクリアランスが存在するように設定されている。つまり、突起押え部２２２によって規制突起１２３の上方への移動が規制されており、ロックアーム１２は上方へ僅かしか（上記クリアランス分しか）変形することができない。一方、規制突起１２３の下方にはその移動を規制する部材が存在しないため、ロックアーム１２の下方への移動（下方への弾性変形）は全く規制されない。
【００２４】
一方、突起押え部２２２同士は、内側に向けて屈曲した部分の先端が離れた状態（中央で離れた状態）にある。換言すると、断面で見て突起押え部２２２がアーチ（橋）状に形成されていないということである。このように離間して形成された突起押え部２２２同士の間には、ロックアーム１２の本体部（ロックアーム１２における規制突起１２３を除いた部分をいう）が位置する。具体的には、ロックアーム１２の押圧部１２１が位置する。
【００２５】
また、図４から分かるように、第一のハウジング部材１０に第二のハウジング部材２０が取り付けられた状態において、突起押え部２２２の上面は、ロックアーム１２の本体部の最上面と略面一（同じ高さ）となっている。詳しくは、突起押え部２２２の上面と、ロックアーム１２の押圧部１２１の上面とが面一となっている。
【００２６】
さらに、図２から分かるように、突起押え部２２２同士の間隔は、先端側（ロックアーム１２の基端側）よりも後端側（ロックアーム１２の自由端側）の方が広くなるように形成されている。詳しくは、第一のハウジング部材１０に第二のハウジング部材２０が取り付けられた状態において、突起押え部２２２同士の間から指を入れて、ロックアーム１２の押圧部１２１を容易に押し下げることができる間隔が確保されている。
【００２７】
このような突起押え部２２２の他に、アッパーハウジング２２には、その先端から突出した取付突起２２３が設けられている。アッパーハウジング２２とロアーハウジング２４が一体化されてなる第二のハウジング部材２０は、かかる取付突起２２３が取付穴１４に係合されることにより、第一のハウジング部材１０に取り付けられる。さらに、アッパーハウジング２２の後端側には、ケーブル固定部２６が形成されている。ケーブル固定部２６は、大きさの異なる断面円形の窪みが軸線方向に連なって形成された部分である。また、本実施形態では、ロアーハウジング２４の後端側にもアッパーハウジング２２に形成されたケーブル固定部２６と略同形状（大きさの異なる断面円形の窪みが軸線方向に連なって形成された形状）のケーブル押え部２６１が形成されている。
【００２８】
フェルール３０は、光ケーブル９０が有する光ファイバ９２を保持する部材である。詳しくは、フェルール３０中央に形成されたファイバ保持孔に光ファイバ９２が接着剤などによって固定されている。このように光ファイバ９２が固定された後、フェルール３０の先端面には、相手方コネクタ５０に収容されるフェルール３０の先端面との密着を高め、接続損失の増加を抑えるため、鏡面処理が施されることがある。
【００２９】
このように光ファイバ９２が固定されるフェルール３０は、円筒部３２、コイルばね挿通部３４、および、ばね止め部３６とを有する。かかるフェルール３０は、その円筒部３２が、第一のハウジング部材１０のフェルールおよびコイルばね収容部１６内に軸線方向に移動可能な状態で収容されている。フェルール３０の後端側に設けられるコイルばね挿通部３４は、その外径がコイルばね４０の内径よりも小さく形成されている。ばね止め部３６は、その外形がコイルばね４０の内径より大きく形成されている。
【００３０】
コイルばね４０は、第一のハウジング部材１０のフェルールおよびコイルばね収容部１６にフェルール３０と共に収容されている。フェルール３０の後端側の一部であるコイルばね挿通部３４は、かかるコイルばね４０の内側に挿通されている。第二のハウジング部材２０が第一のハウジング部材１０に取り付けられると、コイルばね４０は、フェルール３０のばね止め部３６と、第二のハウジング部材２０のアッパーハウジング２２の先端に形成されたばね止め突起２２４との間に挟み込まれる。両者の間隔は、コイルばね４０の自然長より短く設定されているため、コイルばね４０は軸線方向に圧縮される。これにより、フェルール３０はコイルばね４０によって先端側に付勢される。
【００３１】
光コネクタ１に固定される光ケーブル９０は、光ファイバ９２と、ケーブルの引っ張り強度を確保する補強素線９４（抗張力材）と、これらを覆うシース９６とを有する。光ケーブル９０は、円筒状に形成されたシース９６の内側に、光ファイバ９２および補強素線９４が収容されてなる。
【００３２】
光ファイバ９２は、ケーブル先端から所定長さ剥き出しになっており、上述のフェルール３０に保持されている。一方、シース９６の端部には、ケーブル固定部材が取り付けられている。図５に示すように、ケーブル固定部材は、かしめリング９８とストップリング９９とからなる。かしめリング９８は、例えばアルミニウムで形成された段差のある筒状の部材であり、相対的に大径の補強素線把持部９８２および相対的に小径のシース把持部９８１とを有する。ストップリング９９は、例えばステンレスや真鍮で形成された筒状の部材である。
【００３３】
これらケーブル固定部材は、次のように光ケーブル９０に固定されている。光ケーブル９０のシース９６は、その先端側から所定長さのスリット９６１（切り込み）が形成されている。かかるスリット９６１を通して、補強素線９４はシース９６の外側に出されている。かしめリング９８は、シース把持部９８１によってシース９６の外側に固定される。なお、シース把持部９８１の内側にはシース９６に食い込むような突起が形成されている。ストップリング９９は、かしめリング９８の補強素線把持部９８２の内側であって、シース９６の先端（スリット９６１が形成された部分）の外側に固定される。このようにしてシース９６に固定されるかしめリング９８の補強素線把持部９８２の内周と、ストップリング９９の外周との間に、光ケーブル９０の補強素線９４が挟み込まれる。なお、かしめリング９８の補強素線把持部９８２の内側、および、ストップリング９９の外側に、例えばローレット加工などを施し、これらの間に挟み込まれる補強素線９４が抜けにくいようにするとよい。また、光ファイバ９２は、ストップリング９９の内側を通される。このようにして、ケーブル固定部材は、補強素線９４を巻き込んだ状態で光ケーブル９０に固定されている。
【００３４】
ケーブル固定部材は、第二のハウジング部材２０を構成するアッパーハウジング２２のケーブル固定部２６と、ロアーハウジング２４のケーブル押え部２６１に挟み込まれるようにして、コネクタハウジング内に収容されている。詳しくは、ケーブル固定部２６の大径部分にかしめリング９８の補強素線把持部９８２が、ケーブル固定部２６の小径部分にかしめリング９８のシース把持部９８１が収容され、このケーブル固定部２６の開口を覆うようにロアーハウジング２４がアッパーハウジング２２に被着されている。このようにアッパーハウジング２２とロアーハウジング２４が一体化されると、かしめリング９８の補強素線把持部９８２がケーブル固定部２６およびケーブル押え部２６１の段差に引っ掛かった状態となる。したがって、光ケーブル９０を引っ張っても光コネクタ１から抜けることはない。
【００３５】
このような構成を有する本実施形態にかかる光コネクタ１（雄型コネクタ）は、例えば、図６および図７に示すような相手方コネクタ５０（雌型コネクタ）と嵌合する。相手方コネクタ５０は、下ハウジング部材５２と、その上に被着される上ハウジング部材５４が組み合わされてなる。下ハウジング部材５２の先端側に設けられたフード部５２１には、内側に向けて突出した突起部５２１ａが形成されている。本実施形態にかかる光コネクタ１を相手方コネクタ５０のフード部５２１の内側に挿入し、両者を嵌合させようとすると、ロックアーム１２の係止突起１２２が相手方コネクタ５０の突起部５２１ａに押され、ロックアーム１２がその基端を支点として下方に弾性変形する（自由端が下方に移動する）。一定量光コネクタ１を相手方コネクタ５０に差し込むと、ロックアーム１２はその弾性変形が解除される方向に動作し、係止突起１２２が雌型コネクタの突起部５２１ａに引っ掛かる。これにより、コネクタが嵌合状態となる。コネクタの嵌合状態を解除する際には、押圧部１２１を押し、ロックアーム１２の自由端を押し下げる。これにより、突起部５２１ａに引っ掛かっていた係止突起１２２が外れる。その状態を維持しつつ、両コネクタを引き離すことにより、コネクタの嵌合が解除される。
【００３６】
次に、本実施形態にかかる光コネクタ１の組立手順（光コネクタ１と光ケーブル９０の組立手順）について、一部上記説明と重複するが説明する。
【００３７】
まず、光ケーブル９０の先端からシース９６を所定長さ剥離することにより、光ファイバ９２を露出させる。その後、ケーブル固定部材を当該剥離した側のシース９６の端末部分に固定する。ケーブル固定部材の固定後、コイルばね４０を光ファイバ９２に挿通する。そして、光ファイバ９２の先端にフェルール３０を固定する。これにより、光ケーブル９０、ケーブル固定部材、フェルール３０、および、コイルばね４０の組立体が得られる。
【００３８】
このような組立体を得た後、ケーブル固定部材を第二のハウジング部材２０にに収容する。詳しくは、ケーブル固定部材を、ケーブル固定部２６とケーブル押え部２６１との間に挟み込むようにして、アッパーハウジング２２の係合突起２２１をロアーハウジング２４の係合穴２４１に係合する。これにより、光ケーブル９０が第二のハウジング部材２０に固定される。
【００３９】
そして、フェルール３０とコイルばね４０を第一のハウジング部材１０のフェルールおよびコイルばね収容部１６に収容させるようにして、第一のハウジング部材１０に第二のハウジング部材２０を取り付ける。詳しくは、第二のハウジング部材２０の取付突起２２３を第一のハウジング部材１０の取付穴１４に係合する。これにより、光ケーブル９０のハウジング内に、コイルばね４０、および、そのコイルばね４０によって先端側に付勢された状態でフェルール３０が収容される。これにより、光コネクタ１と光ケーブル９０の組立体が完成する。
【００４０】
以上説明した本実施形態にかかる光コネクタ１によれば、次のような作用効果が奏される。
【００４１】
本実施形態では、光コネクタ１のハウジングが、第一のハウジング部材１０と第二のハウジング部材２０とに分割されたものである。そして、第一のハウジング部材１０に設けられたロックアーム１２には幅方向外向きに突出した規制突起１２３が形成され、第二のハウジング部材２０には、その規制突起１２３の上方に微少なクリアランスを隔てて位置する突起押え部２２２が形成されている。したがって、ロックアーム１２が上方やねじれる方向に変形しようとしても、規制突起１２３が突起押え部２２２に当たり、それ以上変形することがない。つまり、突起押え部２２２によってロックアーム１２の過剰な浮き上がりやねじれの発生が防止されるため、ロックアーム１２の塑性変形や破損が防止できる。これにより、コネクタの嵌合の信頼性が高められる。
【００４２】
ここで、本実施形態では、光コネクタ１のハウジングを、第一のハウジング部材１０と、第二のハウジング部材２０を構成するアッパーハウジング２２と、第二のハウジング部材２０を構成するロアーハウジング２４とに分割している。このような構成としているのは、次の１）〜３）の理由による。
【００４３】
１）仮にハウジングを一体的に構成すると、光ケーブル９０をコネクタを予め通しておき、その先端からコイルばね４０を挿通し、その後光ファイバ９２をフェルール３０に固定する、という流れの組立作業となる。したがって、ケーブルにハウジングを挿通した状態で、光ファイバ９２をフェルール３０に固定するなどの作業が必要となるため、作業性が悪い。一方、ハウジングが分割されていれば、予め光ケーブル９０、コイルばね４０、および、フェルール３０の組立体を作成した後、この組立体をハウジングに固定することができる。２）ハウジングが分割されていれば、ケーブル固定部材を用いた光ケーブル９０のハウジングへの固定が可能となる。つまり、ハウジングが分割されているからこそ、かしめリング９８の段差を利用して、ケーブル固定部材をアッパーハウジング２２とロアーハウジング２４の間に挟み込む固定方法が可能となる。これに対し、ハウジングが一体的に構成されていれば、上記実施形態で説明したようなケーブル固定部材を用いた固定方法を採用することが困難である。３）上記実施形態では、フェルールおよびコイルばね収容部１６やケーブル固定部２６（ケーブル押え部２６１）が形成される後側の第二のハウジング部材２０のみを上下に分割し、先端側の第一のハウジング部材１０を一体的に構成している。これは、１）で述べたような組立の作業性を確保しつつ、フェルール３０の取付位置精度を確保するためである。つまり、仮にフェルール３０を保持するフェルールおよびコイルばね収容部１６が形成された第一のハウジング部材１０を分割すると、その分割されたことによってフェルールおよびコイルばね収容部１６に収容されるフェルール３０の取付位置精度が低下してしまうおそれがある。本実施形態では、それを防止するため、フェルール３０が収容される第一のハウジング部材１０を一体的に構成している。
【００４４】
以上のように、ハウジングを分割することで様々な利益が享受できる。本実施形態では、このように光コネクタ１のハウジングが少なくとも第一のハウジング部材１０と第二のハウジング部材２０に分割されていることを利用している。つまり、第一のハウジング部材１０に形成されるロックアーム１２の規制突起１２３の上に、第二のハウジング部材２０に形成される突起押え部２２２を位置させるという、ハウジングが一体成型されるものであれば成型が困難となる形態を、ハウジングが分割されていることを利用して実現したものである。すなわち、本実施形態にかかる光コネクタ１は、上記１）〜３）で説明した利益を享受するためにハウジングが分割されていることを巧みに利用し、ロックアーム１２の過剰な浮き上がりやねじれの発生を簡易な構成で防止することができるものである。
【００４５】
また、第二のハウジング部材２０の幅方向両側から内向きに屈曲して形成された突起押え部２２２同士の間には、ロックアーム１２の本体部が位置している。つまり、突起押え部２２２同士が中央で離間した状態（アーチ（橋）状ではない）にあり、この間にロックアーム１２の本体部を位置させることで、コネクタの高さ方向の大きさを小さくすることができる。
【００４６】
また、光コネクタ１は、ロックアーム１２の本体部の最上面と、突起押え部２２２の上面とが略面一となる、コネクタ外面に段差がない形状であるから、光ケーブル９０がコネクタに引っかかったりすることがなく、作業性に優れる。
【００４７】
また、光コネクタ１は、ロックアーム１２の自由端側の突起押え部２２２同士の間隔が大きく、当該自由端側から突起押え部２２２同士の間に指が入りやすいから、ロックアーム１２が押し下げやすく、作業性に優れる。
【００４８】
以上説明した光コネクタ１の変形例として、次のような構成が考えられる。図８（図４で示した図（図２におけるＡ矢視図）に相当する）に示すように、ロックアーム１２ｈの規制突起１２３ｈの側面と、突起押え部２２２ｈの内側面とが接触した状態にするとよい。換言すれば、ロックアーム１２の自由端が上下方向に移動する際、規制突起１２３の側面が、突起押え部２２２ｈの内側面上を摺動するようにするとよい。かかる構成とすれば、突起押え部２２２ｈの内側面に接触した規制突起１２３により、ロックアーム１２がねじれる方向に変形することがない。つまり、より嵌合の信頼性に優れた光コネクタとすることができる。
【００４９】
以上、本発明の実施の形態について詳細に説明したが、本発明は上記実施の形態に何ら限定されるものではなく、本発明の要旨を逸脱しない範囲で種々の改変が可能である。
【００５０】
例えば、上記実施形態で説明したフェルール３０、コイルばね４０、ケーブル固定部材など、ハウジング内に収容される部材の構成は適宜変更可能である。
【００５１】
また、上記実施形態では、光コネクタを例に説明したが、電気コネクタが備えるロックアームにも上記実施形態の技術的思想を適用することもできる。
【符号の説明】
【００５２】
光コネクタ            １
第一のハウジング部材  １０
ロックアーム          １２
規制突起              １２３
第二のハウジング部材  ２０
突起押え部            ２２２
相手方コネクタ        ５０
【図１】
2012083442.tif 000003
【図２】
2012083442.tif 000004
【図３】
2012083442.tif 000005
【図４】
2012083442.tif 000006
【図５】
2012083442.tif 000007
【図６】
2012083442.tif 000008
【図７】
2012083442.tif 000009
【図８】
2012083442.tif 000010